(57)【要約】【課題】持ちやすく使いやすい、簡便な毛染め作業を可能にする毛染め用具を提供する。【解決手段】固形状の毛染め剤を塗布体１２に用いた毛染め用具において、前記毛染め剤を設けた塗布体１２と、この塗布体１２に一体となった取付部１０とを設けた毛染め用具である。【選択図】図１
2015154806.tif 000002
【特許請求の範囲】
【請求項１】
毛染め剤を塗布体に用いた毛染め用具において、
前記毛染め剤を設けた塗布体と、この塗布体に一体となった取付部とを設けたことを特徴とする毛染め用具。
【請求項２】
塗布体は、櫛歯部を設けたものであることを特徴とする請求項１記載の毛染め用具。
【請求項３】
塗布体を覆うキャップが装着されていることを特徴とする請求項１又は２記載の毛染め用具。
【発明の詳細な説明】
【技術分野】
【０００１】
本発明は、髪の毛に着色する毛染め用具に関する。
【背景技術】
【０００２】
従来、髪の毛の全体を染める染毛料が良く知られているが、一時的に髪の毛を部分的に染める場合に、いちいち液体の染毛料を髪の毛に塗布するのは不便である。そのような不便さをなくすために、毛染め用具として、例えば特開２００６−１６９１６１（特許文献１）のような固形描画材を毛染め剤に用いることが考えられる。
【先行技術文献】
【特許文献】
【０００３】
【特許文献１】特開２００６−１６９１６１
【発明の概要】
【発明が解決しようとする課題】
【０００４】
特許文献１に開示された固形描画材を毛染め剤に用いるとき、用具には持ち手の箇所を設けていないため、特に毛染め用具として、使いにくい問題がある。
【０００５】
そこで、本発明は、持ちやすく使いやすい、簡便な毛染め作業を可能にする毛染め用具の提供を課題とする。
【課題を解決するための手段】
【０００６】
本発明は、毛染め剤を塗布体に用いた毛染め用具において、
前記毛染め剤を設けた塗布体と、この塗布体に一体となった取付部とを設けたことを特徴とする毛染め用具である。なお、毛染め剤は表面のみではなく、塗布体全体としての一体構成としてもよい。
【０００７】
本発明において、塗布体は、櫛歯部を設けたものであることが好適である。
【０００８】
また、本発明において、塗布体を覆うキャップが装着されていることが好適である。
【発明の効果】
【０００９】
本発明によれば、毛染め剤を設けた塗布体と一体となった取付部を設けたことで、取付部によって持つ箇所が明確になったため、手と一体となった作業が行える等、容易に毛染め作業を行うことができる。
【図面の簡単な説明】
【００１０】
【図１】本発明の第１実施形態に係る毛染め用具の説明図で、（ａ）が後端方向から見た図、（ｂ）が平面図、（ｃ）が正面図、（ｄ）が下方図、（ｅ）が前端方向から見た図である。
【図２】本発明の第１実施形態に係る毛染め用具の斜視図で、（ａ）が塗布体を下方に向けた図、（ｂ）が塗布体を上方に向けた図、（ｃ）が塗布体を横に向けた図である。
【図３】本発明の第２実施形態に係る毛染め用具の説明図で、（ａ）が前端方向からの斜視図、（ｂ）が前端方向から見た図、（ｃ）が平面図、（ｄ）が（ｃ）の縦断面図、（ｅ）が正面図、（ｆ）が（ｅ）の縦断面図、（ｇ）が後端方向から見た図である。
【図４】本発明の第２実施形態に係る毛染め用具のキャップを外した説明図で、（ａ）が前端方向からの斜視図、（ｂ）が前端方向から見た図、（ｃ）が平面図、（ｄ）が（ｃ）の縦断面図、（ｅ）が正面図、（ｆ）が（ｅ）の縦断面図、（ｇ）が後端方向から見た図である。
【図５】本発明の第３実施形態に係る毛染め用具の説明図で、（ａ）が後端方向からの斜視図、（ｂ）が前端方向から見た斜視図、（ｃ）が平面図、（ｄ）が正面図、（ｅ）が下方図、（ｆ）が（ｄ）の縦断面図である。
【図６】本発明の第３実施形態に係る毛染め用具のキャップを外した説明図で、（ａ）が後端方向からの斜視図、（ｂ）が前端方向から見た斜視図、（ｃ）が平面図、（ｄ）が正面図、（ｅ）が下方図、（ｆ）が（ｄ）の縦断面図である。
【図７】本発明の第４実施形態に係る毛染め用具の説明図で、（ａ）が前端方向から見た斜視図、（ｂ）が後端方向から見た図、（ｃ）が平面図、（ｄ）が（ｃ）の縦断面図、（ｅ）が正面図、（ｆ）が（ｅ）の縦断面図、（ｇ）が後端方向から見た斜視図、（ｈ）が前端方向から見た図である。
【図８】本発明の第４実施形態に係る毛染め用具のキャップを外した説明図で、（ａ）が前端方向から見た斜視図、（ｂ）が後端方向から見た図、（ｃ）が平面図、（ｄ）が（ｃ）の縦断面図、（ｅ）が正面図、（ｆ）が（ｅ）の縦断面図、（ｇ）が後端方向から見た斜視図、（ｈ）が前端方向から見た図である。
【図９】本発明の第４実施形態に係る毛染め用具の使用状態を示した説明図で、（ａ）が前端方向から見た斜視図、（ｂ）が後端方向から見た図、（ｃ）が平面図、（ｄ）が正面図、（ｅ）が前端方向から見た図である。
【図１０】本発明の第４実施形態に係る毛染め用具のキャップを示した部品説明図で、（ａ）が前端方向から見た斜視図、（ｂ）が後端方向から見た図、（ｃ）が（ｆ）のＡ−Ａ断面図、（ｄ）が平面図、（ｅ）が（ｄ）の縦断面図、（ｆ）が正面図、（ｇ）が（ｆ）の縦断面図、（ｈ）が後端方向から見た斜視図、（ｉ）が前端方向から見た図である。
【図１１】本発明の第４実施形態に係る毛染め用具の収納途中を示した説明図で、（ａ）が前端方向から見た斜視図、（ｂ）が平面図、（ｃ）が正面図、（ｄ）が後端方向から見た斜視図、（ｅ）が（ｂ）のＢ−Ｂ断面図である。
【図１２】本発明の第５実施形態に係る化粧具の説明図で、（ａ）が前端方向からの斜視図、（ｂ）が後端方向から見た図、（ｃ）が平面図、（ｄ）が正面図、（ｅ）が（ｄ）の縦断面図、（ｆ）が後端方向からの斜視図、（ｇ）が前端方向から見た図である。
【図１３】本発明の第６実施形態に係る化粧具の説明図で、（ａ）が前端方向からの斜視図、（ｂ）が後端方向から見た図、（ｃ）が平面図、（ｄ）が正面図、（ｅ）が（ｄ）の縦断面図、（ｆ）が後端方向からの斜視図、（ｇ）が前端方向から見た図である。
【発明を実施するための形態】
【００１１】
以下図面を参照して本発明の実施形態を、第１の実施形態〜第６の実施形態に基づき説明する。
【００１２】
第１の実施形態〜第６の実施形態の各実施形態は、本発明における、固形状の毛染め剤を塗布体に用いた毛染め用具において、前記毛染め剤を表面に付着させて設けた塗布体と、この塗布体に一体となった取付部とを設けた毛染め用具である。
【００１３】
各実施形態に係る毛染め用具の説明において、以下の説明では、毛染め側を前方、前端と称し、持ち手側を後方、後端と称す。
【００１４】
また、第１の実施形態〜第２の実施形態では、塗布体が、櫛歯部を設けたものである。
【００１５】
また、第２の実施形態〜第４の実施形態では、塗布体を覆うキャップが装着されているものである。
【００１６】
〔第１の実施形態〕
第１の実施形態に係る毛染め用具を図１〜図２によって説明する。
【００１７】
図１〜図２に示すように、この第１の実施形態は、壁掛けタイプの毛染め用具になっている。毛染め用具は、全体的に幅に比較して長さが長い板材状を呈した取付部１０の前端に塗布体１２が設けられ、塗布体１２の各部の表面又は塗布体１２自体に固形の毛染めが塗布・固着・形成されているものである。取付部１０の後端に突出部１４が正面方向に突出して設けられる。
【００１８】
塗布体１２は、髪の毛を梳ける櫛歯が下方向きに配列され櫛歯部１２ａと、櫛歯部１２ａの上方にある平坦な平面部１２ｂと、塗布体１２前端で斜めに切り落とされた形状の斜面部１２ｃとが形成されていて、髪の毛の毛染めの面積を使い分けることが容易である。
【００１９】
使用時には、取付部１０を握って、髪の毛に櫛歯部１２ａ、平面部１２ｂ、斜面部１２ｃとのいずれかを使って毛染め剤をなで付け、こすり付けて塗布する。
【００２０】
また、取付部１０の後部に装着された突出部１４には穴のある開口部１４ａが形成されており、開口部１４ａに壁等に掛けて保管することが可能である。なお、突出部１４は取付部１０の孔１４ｂに引っ掛けて着脱が可能となっている。
【００２１】
なお、この場合の、取付部１０が塗布体１２と同幅となっているが、取付部１０を握りやすい幅や太さにして、塗布体１２を幅広にする等、種々に形成できる。また、突出部１４には、矩形の開口部１４ａの枡形を示したが、壁等のかけられる形態であれば、他の形状を採りうる。
【００２２】
〔第２の実施形態〕
第２実施形態に係る毛染め用具を図３〜４によって説明する。
【００２３】
図３〜図４に示すように、この第２の実施形態では、スティック状の毛染め用具となっている。塗布体１２の外周にキャップ１６が、取付部１０の後端側の外周にはキャップ１６と略同径で形成されたカバー１８がそれぞれ取り付けられ、塗布体１２が露出していないので携帯性に優れている。取付部１０は断面中空矩形の角柱状を呈し、手で持ちやすくなっている。
【００２４】
また、取付部１０の後端は開放することで、カバー１８への挿入を容易にしている。挿入後の固定方法については、圧入、接着、溶着等が挙げられる。
【００２５】
なお、塗布体１２の形状は第１実施形態と同様であり、図４に示すように、櫛歯部１２ａ、平面部１２ｂ、斜面部１２ｃが露出して、カバー１８を握って持てるようになっている。
【００２６】
〔第３の実施形態〕
第３の実施形態に係る毛染め用具を図５〜図６によって説明する。
【００２７】
図５〜図６に示す第３の実施形態に係る毛染め用具は、途中で側面が窪んだ壺型の把持部２０が取付部１０の外周を覆って固定されて、把持部２０が指で挟みやすい形状となっている。把持部２０は、取付部１０と別体の他、一体化や同一のものとしても良い。
【００２８】
塗布体１２は膨出した断面弧形状を呈し、使用時はキャップ１６を外して、図６に示すように、把持部２０を手指で持って塗布体１２を露出させて髪の毛に外側から塗り付けるのに適している。
【００２９】
〔第４の実施形態〕
第４の実施形態に係る毛染め用具を図７〜図１１によって説明する。
【００３０】
第４の実施形態に係る毛染め用具は、未使用時においては、図７に示すように、取付部１０がキャップ１６で閉じられる。また、使用時には、図８に示すように、キャップ１６を外した状態で取付部１０がハの字状に開くトング形状の毛染め用具である。
【００３１】
すなわち、図７、図８に示すように、取付部１０は、角柱状の腕部（符号１０ａで示す）を１対対向させて配置し、これら腕部１０ａ、１０ａの各後端部を弾性のある帯状部（符号１０ｂで示す）で接続した構造である。帯状部１０ｂの弾性力で、各腕部１０ａ、１０ａ同士が離れるのでハの字状に開く。これら各腕部１０ａ、１０ａの対向する内面にそれぞれ横断面台形の塗布体１２、１２を固定して備えている。なお、図８に示すように、各腕部１０ａ、１０ａから帯状部１０ｂの全体外面の幅端部に切り欠き溝１０ｃ、１０ｃが形成されている。
【００３２】
キャップ１６は、図１０に示すように、概略長い板材を折り曲げた形状を呈し、側面視で概略コの字形状、又はＵの形状を呈している。そして、対向する覆い部１６ａ、１６ａの内側両側部にガイドレール１６ｂ、１６ｂが内向きに突出している。
【００３３】
キャップ１６は、図１１に示すように、閉じた状態の取付部１０に対して前端方向から後方向きに摺動して嵌り込み、取付部１０を両側面方向から覆って、塗布体１２が外部から見えないようにしている。この場合、図１１に示すように、キャップ１６の対向するガイドレール１６ｂ、１６ｂが前記切欠き溝１０ｃ、１０ｃに係合して、取付部１０の各腕部１０ａ、１０ａを正面側・裏面側に外側から係合して挟み付け、取付部１０が開かないように固定するようになっている。
【００３４】
この毛染め用具では、使用状態が図９に示すようになる。キャップ１６を外した状態の取付部１０は図９（ｄ）に示すように帯状部１０ｂの弾性力で開いた状態になり、取付部１０の腕部１０ａ、１０ａを両側から保持して閉じることができる。腕部１０ａ、１０ａの外周が把持部としての機能を有する。
【００３５】
図９（ａ）で示すように、取付部１０は髪の毛（図９において符号Ｈで概略を示す）を塗布体１２で挟んで使用することにより素早く毛染め作業を完了することができる。
【００３６】
なお、本発明では、塗布体１２は取付部１０の両側の腕部１０ａ、１０ａにそれぞれ設ける他、取付部１０の片側一つに設けても良いし、異なる大きさとしても良い。
【００３７】
〔第５の実施形態〕
第５の実施形態に係る毛染め用具を図１２によって説明する。
【００３８】
図１２に示すように第５の実施形態の毛染め用具は、一端が開口された指形状（指サック形状でもある）の毛染め用具である。
【００３９】
図１２に示すように、取付部１０が概略弾頭形状をした樹脂製の中空体である。取付部１０の後端の開口周辺にフランジ状に突出した円環部２２ａが取り巻く構造である。取付部１０の外周面が塗布体１２の機能を有して、外周面に毛染め剤を付着している。
【００４０】
取付部１０の開口穴（指入れ穴）２２ｂ内に指を入れて、指で毛染め作業を行う。円環部２２ａを形成することで、他の指等で引っ掛けて外すことが容易にすることができる。
【００４１】
〔第６実施形態〕
第６の実施形態に係る毛染め用具を図１３によって説明する。
【００４２】
図１３に示すように、第６の実施形態に係る毛染め用具は、第５の実施形態の毛染め用具よりも先細で取付部１０から円環部２２ａを外し、開口穴２２ｂ周囲を取り囲んで後端面に曲面部２２ｃを形成して意匠性を向上させたものである。
毛染め用具全体として先細く、かつ、開口穴２２ｂに向かって曲面部２２ｃが上下よりも左右が後方に伸びた形状であり、流線型が強調された意匠性の高い形になる。また、使用時に手指を開口穴２２ｂに差し込んだ際に左右から手指を支えるので、抜けにくく、手指を左右に振るようにして塗布する際にしっかりと手指に追従し、毛染め剤を塗りやすい形状である。また、左右の伸びた部分を他の指で引っ掛けて外す際に、左右のモーメントが生じるので抉りやすく、外し易い構造でもある。
【００４３】
〔毛染め剤について〕
固形状の毛染め剤（固形化粧料）は、油性成分１０〜７０質量％、樹脂成分０〜３０質量％、粉体(顔料)成分５〜５０質量％を含み、例えば、７０℃〜１００℃に加温することで溶解し、塗布体１２に適量を付着(ディッピング)することが可能となり、付着後は冷却することで速やかに固まり室温では固体となる。
【００４４】
固形状の毛染め剤（固形化粧料）は、油性成分を９０℃〜１２０℃程度で加熱溶解後、樹脂成分、粉体成分を加え均一に混合し、更に、加温し、脱泡を行うことにより調製することができる。
【００４５】
固形状の毛染め剤（固形化粧料）の各成分は、次の判断基準１．〜３．で決定することができる。
【００４６】
１．固形化粧料の油性成分：使用感、経時安定性付与、固形化粧料の成形。
【００４７】
２．樹脂成分：顔料の分散、化粧持ち効果付与。
【００４８】
３．粉体成分：着色、感触調整。
【００４９】
上記判断基準で決定された汎用の油性成分、樹脂成分、粉体成分の中から選ばれる各種成分を組み合わせることにより、好適な固形状の毛染め剤（固形化粧料）を調製することができる。
【００５０】
また、塗布体１２に塗布又は形成した毛染め剤（固形化粧料（バルク））は、それぞれ黄色、赤色、白色の三色（化粧料１〜３）とし、以下の表１の配合組成とした。この三色の化粧料１〜３をそれぞれ上記第１実施形態〜第６実施形態の各毛染め用具（化粧具）に用いた（３０本）。
【００５１】
その結果下記のごとき結果が得られた。
【表１】
2015154806.tif 000003
【００５２】
以上説明したとおり、本実施形態では、塗布体に被覆する毛染め剤（化粧料）は石鹸ベースのもので無いので、肌への安全性が担保され、汗で流れにくく、使い勝手が良い。
【００５３】
また、塗布体１２の周囲に必要量の毛染め剤を乗せる簡単な構造とすれば、安価なものにすることができる。
【００５４】
また、毛染め用具全体として小型であるため、多くの色の化粧具を持ち運ぶことができる。
【００５５】
更に、取付部１０の形状は任意であり、取付部１０の把持部分に意匠を凝らすことも可能となる。
【００５６】
更にまた、図５〜図６に示す第３の実施形態や、図１２に示す第５の実施形態、図１３に示す第６の実施形態に係る毛染め用具では、塗布体１２はほぼ球側面形状又は砲弾側面形状であるので、溶かした化粧料に塗布体１２を浸ければほぼ均一な膜厚に固まるという、簡単な工程によってできる。
【００５７】
これに対して、図１〜図２に示す第１の実施形態や、図３〜図４に示す第２の実施形態のように塗布体１２に櫛歯部を設けたりすると毛染め剤の厚みが均一になりにくい場合がある。したがって、簡易な工程にするには、塗布部１２は球側面形状や砲弾側面形状であることが好ましい。
【００５８】
ただし、塗布体１２が第１〜第２の実施形態のように櫛歯部１２ａのように塗布体１２が柄１０と共に全体が薄いものでも良い。そして、このように、櫛歯部１２ａを塗布体１２に設ければ、髪の毛を梳きながら塗布することができ塗布に利便性が高い利点がある。
【００５９】
また、第１〜第２の実施形態に係る毛染め用具は、小型の使い捨て構造のため、使い終わったら処分でき、衛生的である。
【００６０】
なお、上記実施形態では、本発明の好適な例を述べたが、本発明はこれに限定されない。毛染め用具は、実施形態のように、毛染め剤を表面のみに付着させるばかりでなく、毛染め剤を固化する等して塗布体全体としての一体構成のものとした毛染め用具も本発明の範囲内である。
【産業上の利用可能性】
【００６１】
本発明の毛染め用具は、髪の毛の化粧品として利用することができる。
【符号の説明】
【００６２】
１０  取付部
１２  塗布体
１４  突出部
１６  キャップ
１８  カバー
２０  把持部
【図１】
2015154806.tif 000004
【図２】
2015154806.tif 000005
【図３】
2015154806.tif 000006
【図４】
2015154806.tif 000007
【図５】
2015154806.tif 000008
【図６】
2015154806.tif 000009
【図７】
2015154806.tif 000010
【図８】
2015154806.tif 000011
【図９】
2015154806.tif 000012
【図１０】
2015154806.tif 000013
【図１１】
2015154806.tif 000014
【図１２】
2015154806.tif 000015
【図１３】
2015154806.tif 000016